(57)【要約】【課題】  予備ディスクを簡単確実に格納しその格納状態を容易に解消すること。【解決手段】  装置本体１の上面に形成した凹部２内にターンテーブル３及び光ピックアップが設けられ、前記凹部２を開閉するための開閉蓋５の後端部が該凹部２に上下動可能に枢支されており、該開閉蓋５を上動させて凹部２を開放し、ターンテーブル３にディスクＤを載置した状態で該ターンテーブル３によりディスクＤを高速回転させ、そのディスクＤに記録されている情報を光ピックアップにより読み取るようにしたディスク装置において、開閉蓋５の裏面に予備ディスクＤａを格納するための格納袋１６が一体形成されており、該格納袋１６が、予備ディスクＤａの厚さよりも若干大きい間隔の格納空間１７を間に挟んで開閉蓋５と平行する格納板１８を有しており、開閉蓋５を上動させることにより上向きに開放した格納空間１７内に予備ディスクＤａを挿入するようにした。【選択図】        図３
2006172555.tif 000002
【特許請求の範囲】
【請求項１】
ＤＶＤポーダブルプレーヤの装置本体の上面に形成した凹部内にターンテーブル及び光
ピックアップが設けられ、前記凹部を開閉するための開閉蓋の後端部が該凹部に上下動可
能に枢支されており、該開閉蓋を上動させて凹部を開放し、ターンテーブルにディスクを
載置した状態で該ターンテーブルによりディスクを高速回転させ、そのディスクに記録さ
れている情報を光ピックアップにより読み取るようにしたディスク装置において、前記開
閉蓋の裏面に予備ディスクを格納するための格納袋が一体形成されており、該格納袋が、
予備ディスクの厚さよりも若干大きい間隔の格納空間を間に挟んで開閉蓋と平行する格納
板を有し、該格納板の両側部及び後端部を開閉蓋に一体形成することによりその格納板及
び開閉蓋の前端部側に前記格納空間の開口部が開設され、前記格納板の前端部中央からそ
のほぼ中心部までディスク取出し用操作溝が形成され、前記格納空間の内周面適所にディ
スク滑止め布が貼着されており、開閉蓋を上動させることにより上向きに開放した格納空
間内に予備ディスクを挿入するようにしたことを特徴とするディスク装置。
【請求項２】
ＤＶＤポーダブルプレーヤの装置本体の上面に形成した凹部内にターンテーブル及び光
ピックアップが設けられ、前記凹部を開閉するための開閉蓋の後端部が該凹部に上下動可
能に枢支されており、該開閉蓋を上動させて凹部を開放し、ターンテーブルにディスクを
載置した状態で該ターンテーブルによりディスクを高速回転させ、そのディスクに記録さ
れている情報を光ピックアップにより読み取るようにしたディスク装置において、前記開
閉蓋の裏面に予備ディスクを格納するための格納袋が一体形成されており、該格納袋が、
予備ディスクの厚さよりも若干大きい間隔の格納空間を間に挟んで開閉蓋と平行する格納
板を有し、該格納板の両側部及び後端部を開閉蓋に一体形成することによりその格納板及
び開閉蓋の前端部側に前記格納空間の開口部が開設され、前記格納空間内の奥部にディス
ク押出し用スライダが前後方向にスライド可能に配置され、該スライダに一体突設した操
作部が格納板に形成したスリットを通って外部に突出され、前記格納空間の内周面適所に
ディスク滑止め布が貼着されており、開閉蓋を上動させることにより上向きに開放した格
納空間内に予備ディスクを挿入し、操作部を操作してスライダを前方にスライドさせるこ
とにより格納空間内からディスクの外周部を部分的に外部に押し出すようにしたことを特
徴とするディスク装置。
【請求項３】
装置本体の上面に形成した凹部内にターンテーブル及び光ピックアップが設けられ、前
記凹部を開閉するための開閉蓋の後端部が該凹部に上下動可能に枢支されており、該開閉
蓋を上動させて凹部を開放し、ターンテーブルにディスクを載置した状態で該ターンテー
ブルによりディスクを高速回転させ、そのディスクに記録されている情報を光ピックアッ
プにより読み取るようにしたディスク装置において、前記開閉蓋の裏面に予備ディスクを
格納するための格納袋が一体形成されていることを特徴とするディスク装置。
【請求項４】
前記格納袋が、予備ディスクの厚さよりも若干大きい間隔の格納空間を間に挟んで開閉
蓋と平行する格納板を有し、該格納板の両側部及び後端部を開閉蓋に一体形成することに
よりその格納板及び開閉蓋の前端部側に前記格納空間の開口部が開設されており、開閉蓋
を上動させることにより上向きに開放した格納空間内に予備ディスクを挿入するようにし
たことを特徴とする請求項３に記載のディスク装置。
【請求項５】
前記格納板の前端部中央からそのほぼ中心部までディスク取出し用操作溝が形成されて
いることを特徴とする請求項４に記載のディスク装置。
【請求項６】
前記格納空間内の奥部にディスク押出し用スライダが前後方向にスライド可能に配置さ
れ、該スライダに一体突設した操作部が格納板に形成したスリットを通って外部に突出さ
れており、その操作部を操作してスライダを前方にスライドさせることにより格納空間内
からディスクの外周部を部分的に外部に押し出すようにしたことを特徴とする請求項４ま
たは５に記載のディスク装置。
【請求項７】
前記格納空間の内周面適所にディスク滑止め用布材が貼着されていることを特徴とする
請求項４〜６のいずれかに記載のディスク装置。
【発明の詳細な説明】
【技術分野】
【０００１】
本発明は、例えばＤＶＤポータブルプレーヤなどのディスク装置に関し、特に、予備デ
ィスクを格納することができるようにしたものである。
【背景技術】
【０００２】
従来、ＤＶＤポータブルプレーヤの一例として図１２〜図１４に示すものがある。これ
は、装置本体１の上面に形成した凹部２内にターンテーブル３及び光ピックアップ４が設
けられ、前記凹部２を開閉するための開閉蓋５の後端部が枢支軸６を介して該凹部２に所
定の回動範囲α（例えば６０°）内で上下動可能に枢支され、開閉蓋５を上方に付勢する
ばね７が凹部２内の後部に配置されている。なお、８は装置本体１の上面に設けたロック
解除釦であって、ばね７に抗して下動させた開閉蓋５の係止片９に係合して該開閉蓋５を
水平状態（図１４実線参照）にロックすることにより凹部２を閉鎖すると共に、そのロッ
ク解除釦８を押すことにより、係止片９との係合を解除して開閉蓋５が上動するのを許容
する。１０は装置本体１の後部に回動可能に枢着した液晶ディスプレイ、１１は各種操作
釦、１２はターンテーブル３を回転させるためのスピンドルモータである。
【０００３】
上記構成において、開閉蓋５を上動させて凹部２を開放し、ディスクＤの中心孔１３を
ターンテーブル３の突起部に嵌合させることにより、該ディスクＤをターンテーブル３上
に載置し、該ターンテーブル３によりディスクＤを高速回転させ、そのディスクＤに記録
されている情報を光ピックアップ４により読み取り、再生映像を液晶ディスプレイ１０に
映し出す。
【０００４】
上記構成では、１枚のディスクＤしかセットできないので、予備のディスクＤａ（図１
５参照）は別個に持ち運ぶ必要があり、煩わしい。
【０００５】
上記難点を解消する技術として特許文献１などに記載したものがあり、その一例を図１
５に基づいて説明すると、これは、開閉蓋５の裏面中央にチャック爪１４を突設しており
、予備ディスクＤａの中心孔１３をチャック爪１４に係合させることにより、その予備デ
ィスクＤａを開閉蓋５の裏面側に格納する（図１５仮想線参照）。
【特許文献１】実開平５−７３７９３号公報
【発明の開示】
【発明が解決しようとする課題】
【０００６】
上記従来の構成では、予備ディスクＤａを格納する場合に、予備ディスクＤａを指で把
持して傾斜状態（例えば６０°）の開閉蓋５と装置本体１との間に差し込み、その予備デ
ィスクＤａの中心孔１３をチャック爪１４に係合させる必要があり、そのチャック爪１４
が目視し難い位置にあるから、格納作業が面倒であると共に、そのチャック爪１４から予
備ディスクＤａを取り外す作業も面倒である。また、格納作業を繰り返し行うことにより
、チャック爪１４のチャック力が徐々に低下するので、装置本体１に身体が触れるなどし
て振動が加わると、その振動によりチャック爪１４に係合している予備ディスクＤａが不
測に落下するおそれがあり、特に、落下した予備ディスクＤａがターンテーブル３上で高
速回転しているディスクＤ上に落ちると、その両ディスクＤ，Ｄａが損傷されたり、損傷
により両ディスクＤ，Ｄａから飛び散った小片が装置本体１内に入り込んで故障の原因に
なる。
【０００７】
本発明は、上記従来の欠点に鑑み、予備ディスクを簡単確実に格納しその格納状態を容
易に解消することができるようにしたディスク装置を提供することを目的としている。
【課題を解決するための手段】
【０００８】
上記目的を達成するため、請求項１に記載の発明は、ＤＶＤポーダブルプレーヤの装置
本体の上面に形成した凹部内にターンテーブル及び光ピックアップが設けられ、前記凹部
を開閉するための開閉蓋の後端部が該凹部に上下動可能に枢支されており、該開閉蓋を上
動させて凹部を開放し、ターンテーブルにディスクを載置した状態で該ターンテーブルに
よりディスクを高速回転させ、そのディスクに記録されている情報を光ピックアップによ
り読み取るようにしたディスク装置において、前記開閉蓋の裏面に予備ディスクを格納す
るための格納袋が一体形成されており、該格納袋が、予備ディスクの厚さよりも若干大き
い間隔の格納空間を間に挟んで開閉蓋と平行する格納板を有し、該格納板の両側部及び後
端部を開閉蓋に一体形成することによりその格納板及び開閉蓋の前端部側に前記格納空間
の開口部が開設され、前記格納板の前端部中央からそのほぼ中心部までディスク取出し用
操作溝が形成され、前記格納空間の内周面適所にディスク滑止め布が貼着されており、開
閉蓋を上動させることにより上向きに開放した格納空間内に予備ディスクを挿入するよう
にしたことを特徴としている。
【０００９】
請求項２に記載の発明は、ＤＶＤポーダブルプレーヤの装置本体の上面に形成した凹部
内にターンテーブル及び光ピックアップが設けられ、前記凹部を開閉するための開閉蓋の
後端部が該凹部に上下動可能に枢支されており、該開閉蓋を上動させて凹部を開放し、タ
ーンテーブルにディスクを載置した状態で該ターンテーブルによりディスクを高速回転さ
せ、そのディスクに記録されている情報を光ピックアップにより読み取るようにしたディ
スク装置において、前記開閉蓋の裏面に予備ディスクを格納するための格納袋が一体形成
されており、該格納袋が、予備ディスクの厚さよりも若干大きい間隔の格納空間を間に挟
んで開閉蓋と平行する格納板を有し、該格納板の両側部及び後端部を開閉蓋に一体形成す
ることによりその格納板及び開閉蓋の前端部側に前記格納空間の開口部が開設され、前記
格納空間内の奥部にディスク押出し用スライダが前後方向にスライド可能に配置され、該
スライダに一体突設した操作部が格納板に形成したスリットを通って外部に突出され、前
記格納空間の内周面適所にディスク滑止め布が貼着されており、開閉蓋を上動させること
により上向きに開放した格納空間内に予備ディスクを挿入し、操作部を操作してスライダ
を前方にスライドさせることにより格納空間内からディスクの外周部を部分的に外部に押
し出すようにしたことを特徴としている。
【００１０】
請求項３に記載の発明は、装置本体の上面に形成した凹部内にターンテーブル及び光ピ
ックアップが設けられ、前記凹部を開閉するための開閉蓋の後端部が該凹部に上下動可能
に枢支されており、該開閉蓋を上動させて凹部を開放し、ターンテーブルにディスクを載
置した状態で該ターンテーブルによりディスクを高速回転させ、そのディスクに記録され
ている情報を光ピックアップにより読み取るようにしたディスク装置において、前記開閉
蓋の裏面に予備ディスクを格納するための格納袋が一体形成されていることを特徴として
いる。
【００１１】
請求項４に記載の発明は、請求項３に記載の発明において、前記格納袋が、予備ディス
クの厚さよりも若干大きい間隔の格納空間を間に挟んで開閉蓋と平行する格納板を有し、
該格納板の両側部及び後端部を開閉蓋に一体形成することによりその格納板及び開閉蓋の
前端部側に前記格納空間の開口部が開設されており、開閉蓋を上動させることにより上向
きに開放した格納空間内に予備ディスクを挿入するようにしたことを特徴としている。
【００１２】
請求項５に記載の発明は、請求項４に記載の発明において、前記格納板の前端部中央か
らそのほぼ中心部までディスク取出し用操作溝が形成されていることを特徴としている。
【００１３】
請求項６に記載の発明は、請求項４または５に記載の発明において、前記格納空間内の
奥部にディスク押出し用スライダが前後方向にスライド可能に配置され、該スライダに一
体突設した操作部が格納板に形成したスリットを通って外部に突出されており、その操作
部を操作してスライダを前方にスライドさせることにより格納空間内からディスクの外周
部を部分的に外部に押し出すようにしたことを特徴としている。
【００１４】
請求項７に記載の発明は、請求項４〜６のいずれかに記載の発明において、前記格納空
間の内周面適所にディスク滑止め用布材が貼着されていることを特徴としている。
【発明の効果】
【００１５】
請求項１に記載の発明は第１の実施の形態（図１〜図６参照）に対応するものであって
、これによれば、開閉蓋を上動させると、格納空間が上向きに開放されるから、その格納
空間内に予備ディスクを上方から容易に挿入して、その格納作業を簡単に行うことができ
る。また、装置本体に身体が触れるなどして振動が加わったとしても、その振動により予
備ディスクが不測に落下するおそれがなく、その予備ディスクを確実に格納することがで
き、従来のように格納している予備ディスクが高速回転しているディスク上に落下すると
いう事故を確実に防ぐことができる。
【００１６】
更に、格納している予備ディスクを取り出す場合に、指部を格納板のディスク取出し用
操作溝を通って予備ディスクの中心孔に当接させ、その指部を操作溝に沿って前方に移動
させるだけで、予備ディスクを格納空間から容易に取り出すことができる。
【００１７】
しかも、例えば再生時のターンテーブルの振動が開閉蓋に伝達されても、その振動がデ
ィスク滑止め用布材で吸収されるため、その布材に接触している予備ディスクが振動によ
り滑って騒音を生じさせることがなく、格納した予備ディスクを騒音発生源とならないよ
うにできる。
【００１８】
要するに、予備ディスクを簡単確実に格納しその格納状態を容易に解消することができ
るようにした使い勝手の良いＤＶＤポータブルプレーヤを提供することができる。
【００１９】
請求項２に記載の発明は第２の実施の形態（図７〜図１１参照）に対応するものであっ
て、これによれば、請求項１に記載の発明とほぼ同様の効果を得ることができ、特に、格
納している予備ディスクを取り出す場合に、格納空間内の奥部に配置したスライダの操作
部を操作して該スライダを前方にスライドさせるだけで、そのスライダにより予備ディス
クが押し出され、該予備ディスクの外周部を部分的に外部に露出させるから、その露出し
た外周部を把持して引っ張るだけで、その予備ディスクを格納空間から容易に取り出すこ
とができる。
【００２０】
請求項３に記載の発明は基本形態に対応するものであって、これによれば、予備ディス
クを格納する場合に、その予備ディスクを開閉蓋の裏面に設けた格納袋内に差し込むだけ
でよく、その格納作業を簡単に行うことができる。また、装置本体に身体が触れるなどし
て振動が加わったとしても、その振動により予備ディスクが不測に落下するおそれがなく
、その予備ディスクを確実に格納することができ、従来のように格納している予備ディス
クが高速回転しているディスク上に落下するという事故を確実に防ぐことができる。
【００２１】
請求項４に記載の発明によれば、開閉蓋を上動させると、該開閉蓋と格納板との間の格
納空間が上向きに開放されるから、その格納空間内に予備ディスクを上方から容易に挿入
することができる。
【００２２】
請求項５に記載の発明によれば、格納している予備ディスクを取り出す場合に、指部を
格納板のディスク取出し用操作溝を通って予備ディスクの中心孔に当接させ、その指部を
操作溝に沿って前方に移動させるだけで、予備ディスクを格納空間から容易に取り出すこ
とができる。
【００２３】
請求項６に記載の発明によれば、格納している予備ディスクを取り出す場合に、格納空
間内の奥部に配置したスライダの操作部を操作して該スライダを前方にスライドさせるだ
けで、そのスライダにより予備ディスクが押し出され、該予備ディスクの外周部を部分的
に外部に露出させるから、その露出した外周部を把持して引っ張るだけで、その予備ディ
スクを格納空間から容易に取り出すことができる。
【００２４】
請求項７に記載の発明によれば、例えば再生時のターンテーブルの振動が開閉蓋に伝達
されても、その振動がディスク滑止め用布材で吸収されるため、その布材に接触している
予備ディスクが振動により滑って騒音を生じさせることがなく、格納した予備ディスクを
騒音発生源とならないようにできる。
【発明を実施するための最良の形態】
【００２５】
図１〜図６は本発明の第１の実施の形態であるディスク装置（この実施の形態ではＤＶ
Ｄポータブルプレーヤ）を示すものであって、開閉蓋５の裏面に予備ディスクＤａを格納
するための格納袋１６が一体形成されている。上記以外の構成で図１２〜図１４に示す構
成と同じ部分に同一符号を付してその説明を省略する。
【００２６】
前記格納袋１６は、予備ディスクＤａの厚さｔよりも若干大きい間隔ｈの格納空間１７
を間に挟んで開閉蓋５と平行する格納板１８を有し、該格納板１８の両側部及び後端部を
開閉蓋５に一体形成することによりその格納板１８及び開閉蓋５の前端部側に前記格納空
間１７の開口部１７ａが開設されている。
【００２７】
上記構成によれば、開閉蓋５を上動させると、格納空間１７が上向きに開放されるから
（図３仮想線参照）、その格納空間１７内に予備ディスクＤａを上方から容易に挿入して
、その格納作業を簡単に行うことができる。また、装置本体１に身体が触れるなどして振
動が加わったとしても、その振動により予備ディスクＤａが不測に落下するおそれがなく
、その予備ディスクＤａを確実に格納することができ、従来のように格納している予備デ
ィスクＤａが高速回転しているディスクＤ上に落下するという事故を確実に防ぐことがで
きる。
【００２８】
図４に示すように、格納板１８の前端部中央からそのほぼ中心部まで前後方向ａ，ｂに
沿って予備ディスクＤａの中心孔１３の内径ｄよりも広幅ｋのディスク取出し用操作溝２
０が形成されており、格納している予備ディスクＤａを取り出す場合に、指部をディスク
取出し用操作溝２０を通って予備ディスクＤａの中心孔１３に当接させ、その指部を操作
溝２０に沿って前方ａに移動させるだけで、予備ディスクを格納空間から容易に取り出す
ことができる（図４仮想線参照）。
【００２９】
図４に示すように、格納空間１７の内周面適所（この実施の形態では前部）にフェルト
などの弾性変形可能なディスク滑止め用布材２１が貼着されており、予備ディスクＤａを
格納空間１７内に挿入すると、該予備ディスクＤａの両面がディスク滑止め用布材２１に
接触される。これによって、例えば再生時のターンテーブル３の振動が開閉蓋５に伝達さ
れても、その振動がディスク滑止め用布材２１で吸収されるため、その布材２１に接触し
ている予備ディスクＤａが振動により滑って騒音を生じさせることがなく、格納した予備
ディスクＤａを騒音発生源とならないようにできる。また、布材２１により予備ディスク
Ｄａの両面に付着した塵埃を取り除くこともできる。
【００３０】
上記構成では、格納空間１７の開口部１７ａを開閉蓋５及び格納板１８の前端部に形成
して、予備ディスクＤａを前方から格納空間１７内に挿入するようにしたが、その開口部
１７ａを開閉蓋５及び格納板１８の側部に形成して、予備ディスクＤａを側方から格納空
間１７内に挿入するようにしてもよい。
【００３１】
要するに、予備ディスクＤａを簡単確実に格納しその格納状態を容易に解消することが
できるようにした使い勝手の良いＤＶＤポータブルプレーヤを提供することができる。
【００３２】
図７〜図１１は本発明の第２の実施の形態であるディスク装置を示すものであって、格
納空間１７内の奥部にディスク押出し用スライダ２２が前後方向ａ，ｂにスライド可能に
配置されている。上記構成以外は第１の実施の形態（図１〜図６参照）の構成とほぼ同じ
であるから、同一部分に同一符号を付してその説明を省略する。なお、ディスク取出し用
操作溝２０は省略してもよい。
【００３３】
前記スライダ２２は、前後方向ａ，ｂとは直交する方向に延びるスライダ本体２２ａと
、該スライダ本体２２ａの両端から前方ａに延びる一対のアーム部２２ｂとを有し、該両
アーム部２２ｂとスライダ本体２２ａとの間に予備ディスクＤａの外径よりもわずかに大
径の半円状凹溝２３が形成され、各アーム部２２ｂの先端から下向きに折れ曲がる操作部
２２ｃが格納板１８に形成したスリット２４を通って外部に突出されている。
【００３４】
上記構成において、図１１（ａ）に示すように、格納空間１７内に格納した予備ディス
クＤａを取り出す場合には、操作部２２ｃを指部で押してスライダ２２を前方ａにスライ
ドさせるだけで、図１１（ｂ）に示すように、格納空間１７内から予備ディスクＤａの外
周部を部分的に外部に押し出すことができる。
【００３５】
上記構成によれば、格納している予備ディスクＤａを取り出す場合に、操作部２２ｃを
操作してスライダ２２を前方ａにスライドさせるだけで、そのスライダ２２により予備デ
ィスクＤａが押し出され、該予備ディスクＤａの外周部を部分的に外部に露出させるから
、その露出した外周部を把持して引っ張るだけで、その予備ディスクＤａを格納空間１７
から容易に取り出すことができる。
【産業上の利用可能性】
【００３６】
第１、第２の実施の形態では、ＤＶＤポータブルプレーヤを例にあげて説明したが、こ
れに限定されるわけではなく、例えばＣＤプレーヤなどにも適用することができる。
【図面の簡単な説明】
【００３７】
【図１】本発明の第１の実施の形態を示す斜視図である。
【図２】同平面図である。
【図３】同一部切欠き側面図である。
【図４】同格納袋付き開閉蓋の斜視図である。
【図５】図４のＡ−Ａ矢視図である。
【図６】図４のＢ−Ｂ矢視図である。
【図７】本発明の第２の実施の形態を示す平面図である。
【図８】同格納袋付き開閉蓋の斜視図である。
【図９】図８のＣ−Ｃ矢視図である。
【図１０】図８のＤ−Ｄ矢視図である。
【図１１】（ａ）は予備ディスクの押出し手順の前段を示す概略断面図、（ｂ）は同押出し手順の後段を示す概略断面図である。
【図１２】従来例を示す斜視図である。
【図１３】同平面図である。
【図１４】同一部切欠き側面図である。
【図１５】同従来の変形例を示す一部切欠き側面図である。
【符号の説明】
【００３８】
１        装置本体
２        凹部
３        ターンテーブル
４        光ピックアップ
５        開閉蓋
１６      格納袋
１７      格納空間
１７ａ    格納空間の開口部
１８      格納板
２０      ディスク取出し用操作溝
２１      ディスク滑止め用布材
２２      ディスク押出し用スライダ
２２ｃ    スライダの操作部
２４      スリット
Ｄ        ディスク
Ｄａ      予備ディスク
ｔ        予備ディスクの厚さ
ｈ        格納空間の間隔
ａ，ｂ    前後方向
【図１】
2006172555.tif 000003
【図２】
2006172555.tif 000004
【図３】
2006172555.tif 000005
【図４】
2006172555.tif 000006
【図５】
2006172555.tif 000007
【図６】
2006172555.tif 000008
【図７】
2006172555.tif 000009
【図８】
2006172555.tif 000010
【図９】
2006172555.tif 000011
【図１０】
2006172555.tif 000012
【図１１】
2006172555.tif 000013
【図１２】
2006172555.tif 000014
【図１３】
2006172555.tif 000015
【図１４】
2006172555.tif 000016
【図１５】
2006172555.tif 000017